(57)【要約】      （修正有）【課題】ボトムダイとトップダイとによるワークの挟持固定，解放を迅速に行うことのできる板材折曲げ加工機を提供する。【解決手段】ボトムダイ３を備えた下部フレーム５に、トップダイ７を備えた上部フレーム９を上下に揺動自在に備え、上部フレームに備えた補助フレーム２１の上部壁２１Ｕと上部フレームとの間に偏心軸１９を備え、偏心軸に上端側を枢支連結したクランプ力付与部材１３の下端側を下部フレームに枢支連結して備え、偏心軸と上部フレームとの間へ進退自在な下部調節ブロック及び偏心軸と補助フレームとの間へ進退自在な上部調節ブロックを備え、下部調節ブロック及び上部調節ブロックのそれぞれに補助調節部２３Ａ，２５Ａを備え、偏心軸と上部フレームとの間への下部調節ブロックの補助調節部の進入した状態において、偏心軸と補助フレームとの間への上部調節ブロックの補助調節部を進入自在に備えている。【選択図】図１
2014117733.tif 000002
【特許請求の範囲】
【請求項１】
ボトムダイを備えた下部フレームに、前記ボトムダイとの間にワークを挟持自在なトップダイを備えた上部フレームを上下に揺動自在に備え、前記上部フレームを上下に揺動するために、前記上部フレームに備えた補助フレームの上部と前記上部フレームとの間に偏心軸を回転自在かつ上下に変位自在に備え、前記偏心軸の偏心部に上端側を枢支連結したクランプ力付与部材の下端側を前記下部フレームに枢支連結して備え、前記ボトムダイとトップダイとに挟持されたワークの後方突出部分の折曲げ加工を行う曲げ型を上下動自在に備え、かつ前記偏心軸の下側と前記上部フレームとの間へ進退自在な下部調節ブロック及び前記偏心軸の上側と前記補助フレームとの間へ進退自在な上部調節ブロックを備えた板材折曲げ加工機であって、前記下部調節ブロック及び上部調節ブロックのそれぞれに補助調節部を備え、前記偏心軸の下側と前記上部フレームとの間への前記下部調節ブロックの補助調節部の進入した状態において、前記偏心軸の上側と前記補助フレームとの間への前記上部調節ブロックの補助調節部を進入自在に備えていることを特徴とする板材折曲げ加工機。
【請求項２】
請求項１に記載の板材折曲げ加工機において、前記下部調節ブロックにおける前記補助調節部の厚さよりも、前記上部調節ブロックにおける前記補助調節部を薄く形成してあることを特徴とする板材折曲げ加工機。
【発明の詳細な説明】
【技術分野】
【０００１】
本発明は、いわゆるしごき曲げ機、パネルベンダーなどとして知られている板材折曲げ加工機に係り、さらに詳細には、例えばワークの送りを僅かに行う毎に僅かな折曲げ加工を繰り返すことによって円弧状の曲面を形成する折曲げ加工を行う場合、上記折曲げ加工を能率よく行うことのできる板材折曲げ加工機に関する。
【背景技術】
【０００２】
本発明の実施形態に係る板材折曲げ加工機に関係する先行例として特許文献１，２がある。
【先行技術文献】
【特許文献】
【０００３】
【特許文献１】特開平９−１０８４９号公報
【特許文献２】特開２００４−２６８１０２号公報
【発明の概要】
【発明が解決しようとする課題】
【０００４】
前記特許文献１，２に記載の板材折曲げ加工機の構成を、理解を容易にするために、概念的、概略的に示すと、図３に示すごとき構成である。すなわち、板材折曲げ加工機１は、折曲げ加工すべき板状のワークＷを下側から挟持するボトムダイ３を前側に備えた下部フレーム５を備えている。そして、前記下部フレーム５の上側には、前記ボトムダイ３と対向してワークＷを上側から挟持するトップダイ７を前側に備えた上部フレーム９が上下動自在に備えられている。すなわち、前記下部フレーム５の後側部分に前記上部フレーム９が枢軸１１を介して上下に揺動自在に備えられている。
【０００５】
そして、前記枢軸１１を中心として前記上部フレーム９を上下に揺動するために、適宜に湾曲したクランプ力付与部材１３の下端側が枢軸１５を介して前記下部フレーム５に枢支連結してある。前記クランプ力付与部材１３の上端側は、枢軸１７を介して偏心軸１９の偏心部に枢支連結してある。前記偏心軸１９は、前記上部フレーム９と当該上部フレーム９の上部に一体的に備えた補助フレーム２１における上部壁２１Ｕとの間に上下に変位自在かつ回転自在に備えられている。なお、前記偏心軸１９はサーボモータなどのごとき適宜のモータ（図示省略）によって正逆回転されている。そして、前記偏心軸１９の下側と前記上部フレーム９との間へ進退自在な下部調節ブロック２３が備えられていると共に、前記偏心軸１９の上側と前記補助フレーム２１の上部壁２１Ｕとの間へ進退自在な上部調節ブロック２５が備えられている。
【０００６】
前記構成においては、ボトムダイ３及びトップダイ７によってワークＷを上下方向から直接挟持する場合には、図３（Ａ）に示すように、前記偏心軸１９の下側と上部フレーム９の上面との間に前記下部調節部材２３を介在する構成である。この場合、ボトムダイ３とトップダイ７によってワークＷを直接挟持するとき、前記偏心軸１９と前記クランプ力付与部材１３とを枢支連結した枢軸１７が上死点に位置し、前記クランプ力付与部材１３に弾性変形を生じさせることにより、ボトムダイ３とトップダイ７によってワークＷを強力に挟持することができる。
【０００７】
上述のように、ボトムダイ３とトップダイ７によってワークＷを強力に挟持した状態にあるとき、前記ボトムダイ３とトップダイ７から後方向へ突出したワークＷの後方突出部分ＷＰを上下方向に折曲げる曲げ型（図示省略）が上下動自在に備えられている。
【０００８】
前記構成において、図３（Ｂ）に示すように、前記トップダイ７の下側に第３金型２７を介在し、前記ボトムダイ３と当該第３金型２７によってワークＷを上下方向から挟持する場合には、前記下部調節ブロック２３を取り外し、前記偏心軸１９の上側と前記補助フレーム２１における上部壁２１Ｕとの間に、前記下部調節ブロック２３と同一厚さの上部調節ブロック２５を介在している。なお、前記上部調節ブロック２５の厚さは、前記第３金型２７の厚さに等しいものである。
【０００９】
したがって、上記構成により、ボトムダイ３と第３金型２７によってワークＷを挟持した場合であっても、前記枢軸１７を上死点位置に位置してワークＷを強力に挟持することができるものである。
【００１０】
前記構成より理解されるように、偏心軸１９とクランプ力付与部材１３とを枢支連結した枢軸１７を上死点に位置せしめてワークＷの挟持固定を行うものであるから、前記偏心軸１９を正逆回転するためのモータが小型であっても、クランプ力付与部材１３の僅かな弾性変形でもってワークＷを強力に挟持固定でき好ましい構成である。しかし、前記偏心軸１９を正回転して前記枢軸１７を上死点に位置せしめるものであるから、ワークＷの挟持固定を解除してワークＷが移動自在になるように、前記偏心軸１９を逆回転して上部フレーム９を上方向へ揺動するには、前記偏心軸１９を逆方向へ比較的大きく回動する必要がある。
【００１１】
したがって、ワークＷを僅かに後方向へ移動する毎にワークＷにおける後方突出部分ＷＰの上下方向への僅かな折曲げ加工を繰り返すことによって、ワークＷに円弧状の湾曲面を形成するような場合、前記偏心軸１９を正逆回転してワークＷの挟持固定，解放を繰り返すこととなるので、前述したごとき従来の構成においては、偏心軸１９を比較的大きく正逆回転することとなり、能率向上を図る上において、さらなる改良が求められている。
【課題を解決するための手段】
【００１２】
本発明は、前述のごとき問題に鑑みてなされたもので、ボトムダイを備えた下部フレームに、前記ボトムダイとの間にワークを挟持自在なトップダイを備えた上部フレームを上下に揺動自在に備え、前記上部フレームを上下に揺動するために、前記上部フレームに備えた補助フレームの上部と前記上部フレームとの間に偏心軸を回転自在かつ上下に変位自在に備え、前記偏心軸の偏心部に上端側を枢支連結したクランプ力付与部材の下端側を前記下部フレームに枢支連結して備え、前記ボトムダイとトップダイとに挟持されたワークの後方突出部分の折曲げ加工を行う曲げ型を上下動自在に備え、かつ前記偏心軸の下側と前記上部フレームとの間へ進退自在な下部調節ブロック及び前記偏心軸の上側と前記補助フレームとの間へ進退自在な上部調節ブロックを備えた板材折曲げ加工機であって、前記下部調節ブロック及び上部調節ブロックのそれぞれに補助調節部を備え、前記偏心軸の下側と前記上部フレームとの間への前記下部調節ブロックの補助調節部の進入した状態において、前記偏心軸の上側と前記補助フレームとの間への前記上部調節ブロックの補助調節部を進入自在に備えていることを特徴とするものである。
【００１３】
また、前記板材折曲げ加工機において、前記下部調節ブロックにおける前記補助調節部の厚さよりも、前記上部調節ブロックにおける前記補助調節部を薄く形成してあることを特徴とするものである。
【発明の効果】
【００１４】
本発明によれば、下部調節ブロックに備えた補助調節部を偏心軸の下側と上部フレームとの間に介在し、上部調節ブロックに備えた補助調節部を偏心軸の上側と補助フレームの上部壁との間に介在することにより、前記偏心軸とクランプ力付与部材とを枢支連結した枢軸が上死点に至る途中において、ボトムダイとトップダイとによってワークを挟持固定することができる。すなわち、前記枢軸が上死点よりも下方に位置する回動位置においてワークの挟持固定を行うものであるから、偏心軸の僅かな回動によって上部フレームを上下方向に比較的大きく揺動できることになる。したがって、ワークの挟持固定，解放を繰り返す場合、より迅速に行うことができることとなり、能率向上を図ることができるものである。
【図面の簡単な説明】
【００１５】
【図１】本発明の実施形態に係る板材折曲げ加工機の主要な構成を概念的、概略的に示した構成説明図である。
【図２】上下の調節ブロックに備えた補助調節部の構成及びその使用形態を示す説明図である。
【図３】従来の板材折曲げ加工機の構成を示す説明図である。
【発明を実施するための形態】
【００１６】
以下、図面を用いて本発明の実施形態に係る板材折曲げ加工機の構成について説明するに、前述した従来の構成と同一機能を奏する構成要素には同一符号を付することとして重複した説明は省略する。
【００１７】
図１に概念的、概略的に示すように、本発明の実施形態に係る板材折曲げ加工機１の全体的構成は、前述した従来の板材折曲げ加工機の構成と殆ど同一の構成である。この板材折曲げ加工機１において、従来の構成と相違するところは、下部調節ブロック２３及び上部調節ブロック２５にそれぞれ補助調節部２３Ａ，２５Ａ（図２参照）を備えた構成である。
【００１８】
より詳細には、前記上下の各調節ブロック２３，２５の上下方向の厚さは同一厚さであって、従来の調節ブロックと同様に、各調節ブロック２３，２５は、適宜位置に備えられた流体圧シリンダ等のごとき往復動用アクチュエータ２９Ｕ，２９Ｌの作動によって、偏心軸１９の下側と上部フレーム９との間、及び偏心軸１９の上側と補助フレーム２１における上部壁２１Ｕとの間へ進入，退出自在（進退自在）に備えられている。そして、前記各調節ブロック２３，２５の補助調節部２３Ａ，２５Ａは、各調節ブロック２３，２５より薄く形成してある。
【００１９】
前記下部調節部材２３における補助調節部２３Ａと上部調節ブロック２５における補助調節部２５Ａとの関係においては、下側の補助調節部２３Ａの厚さよりも上側の補助調節部２５Ａが薄く形成してある。そして、上下の補助調節部２５Ａ，２３Ａの厚さの和は、上下の調節ブロック２５，２３の厚さに等しく形成してある。
【００２０】
上記構成により、図２（Ｂ）に示すように、偏心軸１９の下側と下部フレーム９との間に下部調節ブロック２３を介在したときには、図３（Ａ）に示した状態と同じになり、図２（Ｃ）に示すように、偏心軸１９の上側と補助フレーム２１の上部壁２１Ｕとの間に上部調節ブロック２５を介在したときには、図３（Ｂ）に示した状態と同じになるものである。したがって、従来の板材折曲げ加工機と同様に使用することができるものである。
【００２１】
そして、図１，図２（Ａ）に示すように、偏心軸１９の下側と上部フレーム９との間に下部調節部材２３における補助調節部２３Ａを介在し、かつ偏心軸１９の上側と補助フレーム２１の上部壁２１Ｕとの間に上部調節ブロック２５の補助調節部２５Ａを介在することにより、偏心軸１９を正回転して偏心軸１９とクランプ力付与部材１３とを枢支連結した枢軸１７が上死点に回動する前に、ボトムダイ３とトップダイ７によってワークＷを直接挟持固定することができるものである。したがって、ワークＷの挟持固定を解除する場合、偏心軸１９を逆方向に僅かに回動すると、前記枢軸１７が上死点に位置する場合における逆方向への回動角に比して小さな回動角度であっても、上部フレーム９を上方向により大きく揺動することができるものである。
【００２２】
換言すれば、前記枢軸１７が上死点に位置するときにおけるワークＷの挟持，解放動作に比較してワークＷの挟持，解放をより迅速に行うことができるものである。したがって、前記トップダイ７とボトムダイ３との間へのワークＷの送り込みを僅かに行う毎にワークＷの挟持固定を行い、曲げ型によってワークＷの後方突出部を上下方向に僅かに折曲げることを繰り返して、ワークＷの一部を円弧状の湾曲面に形成するような場合、ワークＷの挟持固定，解放の動作を、従来よりもより迅速に行うことができ、上記折曲げ加工の能率向上を図ることができるものである。
【符号の説明】
【００２３】
１  板材折曲げ加工機
３  ボトムダイ
７  トップダイ
９  上部フレーム
１３  クランプ力付与部材
１７  枢軸
１９  偏心軸
２１  補助フレーム
２１Ｕ  上部壁
２３  下部調節ブロック
２３Ａ  補助調節部
２５  上部調節ブロック
２５Ａ  補助調節部
【図１】
2014117733.tif 000003
【図２】
2014117733.tif 000004
【図３】
2014117733.tif 000005